(57)【要約】「ディスクブレーキディス用の固定キャリパ本体」本発明は、ディスクブレーキディスク（２）用の固定ブレーキキャリパ（１）に関する。ディスク（２）は、軸方向（Ｘ−Ｘ）を定義する回転軸（Ａ−Ａ）を中心に回転する、対向するブレーキ面（３，４）と軸方向に対象なディスク本体（５）を有する。ディスク本体（５）は、軸方向（Ｘ−Ｘ）に直交する径方向に沿って、また、軸方向（Ｘ−Ｘ）と径方向（Ｒ−Ｒ）の両方に直交する周方向に沿って、展開しており、固定キャリパ（１）はさらに、第１ブレーキ動作を生み出すために第１スラスト装置（８）のために少なくとも一つの第１ハウジング（７）を有し、ディスク（２）のブレーキ面（３，４）の第１ブレーキ面（３）に直接又は間接に対向するように構成された第１本体半部（６）と、第２ブレーキ動作を生み出すために第２スラスト装置（１１）のための少なくとも一つの第２ハウジング（１０）を有し、ディスク（２）のブレーキ面（３，４）の第２ブレーキ面（４に直接又は間接に対向するように構成された第２本体半部（９）と、第２本体半部（９）を第１本体半部（６）に連結して支持し、第１所定静止平面（１４）に従って方向付けられた少なくとも一つの第１案内及び支持ブリッジ面（１３）と第２所定静平面（１５）に従って方向付けられた少なくとも一つの第２案内及び支持ブリッジ面（１５）を有する少なくとも一つの第１ブリッジ要素（１２）を備えており、第１本体半部（６）は、反対の第２本体半部（９）に向かって軸方向（Ｘ−Ｘ）に片持ち状態で突出する少なくとも一つの第１突出部（１７）を有し、第２本体半部（９）は、反対の第１本体半部（６）に向かって軸方向（Ｘ−Ｘ）に片持ち状態で突出する少なくとも一つの第２突出部（１８）を有し、第２本体半部（９）と少なくとも一つのブリッジ要素（１２）は３つの互いに分離可能な部材であり、少なくとも一つの第１突出部（１７）は、ブリッジ要素（１２）が第１半部キャリパ（６）に連結された状態で、第１所定静止平面（１４）に従って方向付けられ且つ少なくとも一つの第１ブリッジ面（１３）に平行な第１案内及び静止本体半部面（１９）の範囲を定め、少なくとも一つの第２突出部（１８）は、ブリッジ要素（１２）が第２半部キャリパ（９）に連結された状態で、第２所定静止平面（１６）に従って方向付けられ且つ少なくとも一つの第２ブリッジ面（１５）に平行な第２案内及び静止本体半部面（２０）の範囲を定め、少なくとも一つのブリッジ要素（１２）は、少なくとも一つのブリッジ要素（１２）を第１本体半部（６）に連結し方向付けることによって、第１本体半部面（１９）に対して少なくとも一つの第１ブリッジ面（１３）をしっかりと静止させて、少なくとも一つのブリッジ要素（１２）を周方向（Ｃ−Ｃ）に静止し、少なくとも一つのブリッジ要素（１２）は、少なくとも一つのブリッジ要素（１２）を第１本体半部（９）に連結し方向付けることによって、第２本体半部面（２０）に対して少なくとも一つの第２ブリッジ面（１５）をしっかりと静止させて、少なくとも一つのブリッジ要素（１２）を周方向（Ｃ−Ｃ）に静止させる。
2021515149.tif 000002
【特許請求の範囲】
【請求項１】
ディスクブレーキディスク（２）用の、例えば固定キャリパ本体（１）であって、
前記ディスク（２）は、対向するブレーキ面（３，４）と、軸方向（Ｘ−Ｘ）の回転軸（Ａ−Ａ）を中心に回転するように構成された軸対称のディスク本体（５）を有し、
前記ディスク本体（５）は、前記軸方向（Ｘ−Ｘ）に直交する径方向（Ｒ−Ｒ）に沿って、また、前記軸方向（Ｘ−Ｘ）と前記径方向（Ｒ−Ｒ）の両方に直交する周方向（Ｃ−Ｃ）に沿って、径方向に進展しており、
前記固定キャリパ本体（１）は、
第１スラスト装置（８）に第１ブレーキ動作を生成させる少なくとも第１ハウジング（７）を有する第１本体半部（６）であって、前記ディスク（２）の前記ブレーキ面（３，４）の第１ブレーキ面（３）に直接又は間接に対向するように構成されている、第１本体半部（６）と、
第２スラスト装置（１１）に第２ブレーキ動作を生成させる少なくとも第２ハウジング（１０）を有する第２本体半部（９）であって、前記ディスク（２）の前記ブレーキ面（３，４）の第２ブレーキ面（４）に直接又は間接に対向するように構成されている、第２本体半部（９）と、
前記第２本体半部（９）を前記第１本体半部に連結して支持させるための少なくとも第１ブリッジ要素（１２）であって、前記少なくとも一つのブリッジ要素（１２）は、第１所定静止平面（１４）に従って方向付けられた少なくとも一つの第１案内及び支持ブリッジ面（１３）と第２所定静止平面（１６）に従って方向付けられた第２案内及び支持ブリッジ面（１５）を有する、少なくとも第１ブリッジ要素（１２）を備えており、
前記第１本体半部（６）は、反対側の前記第２本体半部（９）に向かって軸方向（Ｘ−Ｘ）に片持ち状態で突出する少なくとも第１突出部（１７）を有し、
前記第２本体半部（９）は、反対側の前記第１本体半部（６）に向かって軸方向（Ｘ−Ｘ）に片持ち状態で突出する少なくとも第２突出部（１８）を有し、
前記第１本体半部（６）、前記第２本体半部（９）、及び前記少なくとも一つのブリッジ要素（１２）は、３つの互いに分離可能な部材であり、
前記少なくとも第１突出部（１７）は、前記ブリッジ要素（１２）が前記第１半部キャリパ（６）に連結されている状態で、前記第１所定静止平面（１４）に従って方向付けられ且つ少なくとも第１支持ブリッジ面（１３）に平行な第１案内及び静止本体半部面（１９）の範囲を定め、
前記少なくとも第２突出部（１８）は、前記ブリッジ要素（１２）が前記第２半部キャリパ（９）に連結されている状態で、前記第２所定静止平面（１６）に従って方向付けられ且つ少なくとも第１ブリッジ面（１５）に平行な第２案内及び静止本体半部面（２０）の範囲を定め、
前記少なくとも一つのブリッジ要素（１２）は、前記少なくとも一つのブリッジ要素（１２）を前記第１本体半部（６）に連結して方向付けることによって、前記第１本体半部面（１９）に対して少なくとも第１ブリッジ面（１３）をしっかりと静止させて、前記少なくとも一つのブリッジ要素（１２）を周方向（Ｃ−Ｃ）に静止させ、
前記少なくとも一つのブリッジ要素（１２）は、前記少なくとも一つのブリッジ要素（１２）を前記第２本体半部（９）に連結して周方向（Ｃ−Ｃ）に方向付けることによって、前記第２本体半部面（２０）に対して少なくとも第２ブリッジ面（１５）をしっかりと静止させる、キャリパ本体（１）。
【請求項２】
前記固定式のキャリパ本体（１）は、前記第２本体半部（９）を前記第１本体半部（６）に連結して支持させる少なくとも第１ブリッジ要素（２１）を有し、前記少なくとも一つのブリッジ要素（２１）は、第３所定静止平面（２３）に従って方向付けられた少なくとも第３案内及び支持ブリッジ面（２２）と、第４所定静止平面（２５）に従って方向付けられた少なくとも第４案内及び支持ブリッジ面（２４）を有し、
前記第１本体半部（６）は、反対側の前記第２本体半部（９）に向かって軸方向（Ｘ−Ｘ）に片持ち状態で突出する少なくとも第３突出部（２６）を有し、
前記第２本体半部（９）は、反対側の前記第１本体半部（６）に向かって軸方向（Ｘ−Ｘ）に片持ち状態で突出する少なくとも第４突出部（２７）を有し、
前記少なくとも第３突出部（２６）は、前記ブリッジ要素（２１）が前記第１キャリパ半部（６）に接続された状態で、前記第３所定静止面（２３）に従って方向付けられて前記少なくとも第３支持ブリッジ面（２２）に平行な第３案内及び静止本体半部面（２８）の範囲を定め、
前記少なくとも第４突出部（２７）は、前記ブリッジ要素（１２）が前記第２半部キャリパ（９）に連結されている状態で、前記第４所定静止平面（２５）に従って方向付けられ且つ少なくとも第４支持ブリッジ面（２４）に平行な第４案内及び静止本体半部面（２９）の範囲を定め、
前記少なくとも第２ブリッジ要素（２１）は、前記少なくとも一つのブリッジ要素（２１）を前記第１本体半部（６）に連結して方向付けることによって、前記第３本体半部面（２８）に対して少なくとも第３ブリッジ面（２２）をしっかりと静止させて、前記少なくとも一つのブリッジ要素（２１）を周方向（Ｃ−Ｃ）に静止させ、
前記少なくとも一つのブリッジ要素（２１）は、前記少なくとも一つのブリッジ要素（２１）を前記第２本体半部（９）に連結して周方向（Ｃ−Ｃ）に方向付けることによって、前記第４本体半部面（２９）に対して少なくとも第４ブリッジ面（２４）をしっかりと静止させる、請求項１に記載のキャリパ本体（１）。
【請求項３】
前記少なくとも第１及び／又は第２ブリッジ要素（１２，２１）はそれぞれ、第１及び第２案内及び径方向静止ブリッジ面（３０，３１）を有し、
前記ブリッジ要素（１２，２１）が前記第１及び第２半部キャリパ（６，９）に連結された状態で、前記第１及び第２案内及び径方向静止ブリッジ面（３０，３１）は径方向（Ｒ−Ｒ）と周方向（Ｃ−Ｃ）に方向付けられ、
前記第１及び第２本体半部（６，９）は、二つの第１及び第２案内及び径方向静止本体半部面（３２，３３）を有し、
前記少なくとも第１及び／又は第２ブリッジ要素（１２，２１）は、前記少なくとも第１及び／又は第２ブリッジ要素（１２、２１）を第１及び第２本体半部（６、９）に接続して方向付けることによって、前記第１及び第２案内及び径方向静止ブリッジ表面（３０，３１）を前記第１及び第２案内及び径方向静止本体半部表面（３２，３３）に対してしっかりと静止させて、少なくとも一つのブリッジ要素（２１）を軸方向（Ｘ−Ｘ）に静止させ、及び／又は
前記突出部（１７，１８，２６，２７）の少なくとも一つは、少なくとも一つのブレーキパッド（３５）を周方向に静止させて受けるために、前記対向するブレーキ面（３，４）を横断して配置されるように構成された少なくとも一つのパッド支持面（３４）を有する、請求項１又は２に記載の固定されたキャリア本体。
【請求項４】
前記第１及び第２本体半部（６，９）は第１材料で作られており、
前記少なくとも一つのブリッジ要素（１２，２１）は、前記第１材料とは異なる少なくとも第２材料で作られており、及び／又は
前記第１材料はアルミニウムであり、及び／又は
前記第２材料は、例えば、セラミック、及び／又は炭素繊維で補強されたポリマー基材、及び／又はガラス、及び／又は玄武岩、及び／又はアルミニウム、及び／又は炭化ケイ素、及び／又はシリコン繊維、及び／又は
前記第１材料は前記第２材料よりも高密度で、及び／又は
前記第２材料は、前記第１材料の弾性率よりも大きな弾性率を有する、請求項１〜３のいずれかに記載の固定されたキャリパ。
【請求項５】
各本体半部（６，９）において、前記第１及び／又は第２案内及び静止本体半部表面（１９，２０）と前記第１及び／又は第２案内及び径方向静止本体半部表面（３２，３３）は平坦面で、及び／又は
各本体半部（６，９）において、前記第１案内及び静止本体半部表面（１９，２０）と前記第１案内及び径方向静止本体半部表面（３２，３３）は互いに直交する面で、及び／又は
各本体半部（６，９）において、前記第２案内及び静止本体半部表面（１９，２０）と前記第２案内及び径方向静止本体半部表面（３２，３３）は互いに直交する面で、及び／又は
各本体半部（６，９）において、前記第１及び／又は第２案内及び静止本体半部表面（１９，２０）と前記第１及び／又は第２案内及び径方向静止本体半部表面（３２，３３）は隣接して対になって縁を形成し、及び／又は
各ブリッジ要素（１２，２１）において、前記第１及び／又は第２案内及び静止ブリッジ面（１３，１５）と前記第１及び／又は第２案内及び径方向静止ブリッジ面（３０，３１）は平坦な面で、及び／又は
各ブリッジ要素（１２，２１）において、前記第１案内及び静止ブリッジ面（１３，１５）と前記第１案内及び径方向静止ブリッジ面（３０，３１）は互いに直交する面で、及び／又は
各ブリッジ要素（１２，２１）において、前記第２案内及び静止ブリッジ面（１３，１５）と前記第２案内及び径方向静止ブリッジ面（３０，３１）は互いに直交する面で、及び／又は
各ブリッジ要素（１２，２１）において、前記第１及び／又は第２案内及び静止ブリッジ面（１３，１５）と前記第１及び／又は第２案内及び径方向静止ブリッジ面（３０，３１）は隣接して対になって縁を形成し、及び／又は
前記少なくとも一つのブリッジ要素（１２，２１）は、前記ブレーキディスク（２）を跨いで配置されるように構成されている逆Ｕ形状のブリッジハウジング（３９）を形成し、及び／又は
前記ブリッジハウジング（３９）は、前記ブレーキディスク（２）に対向する箇所が、前記少なくとも一つのブリッジ要素（１２，２１）に固定された熱保護シート（４４）によって遮蔽されており、及び／又は
前記少なくとも一つのブリッジ要素（１２，２１）は、前記第１及び第２本体半部（６，９）と前記ブリッジ（３８）の弧状連結部に少なくとも一部が対向する第１及び第２ブリッジ側壁（３６，３７）を有し、及び／又は
前記第１及び第２ブリッジ側壁（３６，３７）は、対向する第１及び第２案内及び径方向静止面（３０，３１）を形成し、及び／又は
前記第１及び第２本体半部（６，９）は本体半部貫通孔（４０）を有し、及び／又は
前記第１及び第２ブリッジ要素（１２，２１）はブリッジ貫通孔（４１）を有し、及び／又は
前記固定されたキャリパ本体（１）は、前記本体半部貫通孔（４０）に収容され且つ少なくとも一つのブリッジ要素（１２，２１）を前記本体半部（６，９）にしっかりと連結する前記ブリッジ（４１９の前記ねじ付きハウジングにねじ込まれ、及び／又は
前記第１及び第２本体半部（６，９）の前記第１及び第２案内及び径方向静止本体半部面（３２，３３）はそれぞれ、本体半部貫通孔（４０）を有し、及び／又は
前記第１及び第２ブリッジ要素（１２，２１）の前記第１及び第２案内及び径方向静止ブリッジ面（３０，３１）はそれぞれ、ねじ付きブリッジハウジング（４１）を有し、及び／又は
少なくとも二つのスタッド（４２）が前記本体半部貫通孔（４０）に収容され、前記第１及び第２ブリッジ要素（１２，２１）を前記第１及び第２本体半部（６，９）にしっかりと連結する前記ブリッジねじ付きハウジング（４１）にねじ込まれており、及び／又は
前記ねじ付きブリッジハウジング（４１）は、前記第１及び／又は第２ブリッジ要素（１２，２１）の前記本体に設けられたハウジングに固定されたブリッジねじ付きブッシュ（４３）を有し、及び／又は
前記ねじ付きブリッジハウジング（４１）は、前記第１及び／又はブリッジ要素（１２，２１）の前記本体に埋め込まれたねじ付きブリッジブッシュ（４３）を有し、及び／又は
前記ねじ付きブリッジハウジング（４１）は、前記第１及び／又は第２ブリッジ要素（１２，２１）の前記本体と共に成形されたねじ付きブリッジブッシュ（４３）を有し、及び／又は
前記本体半部貫通孔（４０）と前記ブリッジねじ付きハウジング（４１）は、前記軸方向（Ｘ−Ｘ）に沿って方向付けられ、前記ブレーキディスク（２）の前記ブレーキ面（３，４）に対向するように構成されている、請求項１〜４のいずれかに記載の固定されたキャリパ本体（１）。
【請求項６】
前記第１及び第２本体半部（６，９）は、少なくとも第１及び第２ハウジング（７，１０）にブレーキ流体を供給し、前記ブレーキディスク（２）の前記ブレーキ面（３，４）に当接するように構成されたブレーキパッド（３５）上の少なくとも第１及び第２スラスト要素（８，１１）にスラスト動作を加えてブレーキ動作を加えるように設けられ、
前記第１本体半部（６）は、乗物に対向して配置され、前記ブレーキシステムに流体連結されており、
前記第１及び第２本体半部（６，９）は、前記少なくとも一つのブリッジ要素（１２及び／又は２１）を外側から包むブレーキ流体供給パイプ（４５）によって相互に流体連結されており、
前記第１本体半部（６）は、乗物に対向して配置され、前記ブレーキシステムに流体連結されており、
前記第１及び第２本体半部（６，９）は、前記少なくとも一つのブリッジ要素（１２及び／又は２１）と共に埋め込まれた（例えば、一緒に成形された、または一緒に溶接された）ブレーキ流体供給パイプ（４６）によって相互に流体連結されており、
前記第１本体半部（６）は、乗物に対向して配置され、前記ブレーキシステムに流体連結されており、
前記第１及び第２本体半部（６，９）は、少なくとも一つのブリッジ要素（１２及び／または２１）に孔をあけて得られた作動ブレーキ流体供給パイプ（４８）によって、相互に流体連結されている、請求項１〜５のいずれかに記載の固定キャリパ本体。
【請求項７】
前記第１及び第２ブリッジ要素（１２，２１）はブリッジクロスバー（４９）によって相互に連結されており、及び／又は
前記第１及び第２ブリッジ要素（１２，２１）は、ブリッジクロスバー（４９）によって相互に連結されて、前記第１及び第２ブリッジ要素（１２，２１）と前記ブリッジクロスバー（４９）は一つの部品となっており、及び／又は
前記ブリッジクロスバー（４９）は、乗物に対向し、前記固定キャリパ本体（１）をハブホルダに連結するように構成されており、及び／又は
前記前記ブリッジクロスバー（４９）は、前記ハブホルダに対する前記固定キャリパ本体（１）の連結ねじを受けるように構成された、ハブホルダに対するブリッジクロスバー連結ハウジングを有し、及び／又は
前記ブリッジクロスバー連結ハウジング（５０）は、前記ハブホルダに対する前記固定キャリパ本体（１）の連結ねじを受けるように構成されたハブホルダ連結ブッシュ（５１）を有し、及び／又は
前記ハブホルダ連結ブッシュ（５１）は、ブリッジクロスバー連結ハウジング（５０）に固定されており、及び／又は
前記ハブホルダ連結ブッシュ（５１）は、前記ブリッジクロスバー（４９）に埋め込まれており、及び／又は
前記ハブホルダ連結ブッシュ（５１）は、前記ブリッジクロスバー（４９）に一緒に成形されるか一緒に溶接されている、請求項１〜６のいずれかに記載の固定キャリパ本体。
【請求項８】
前記第１及び第２ブリッジ要素（１２，２１）は、異なる構成要素で、それぞれが前記第１及び第２本体半部（６，９）に連結されており、及び／又は
前記第１本体半部（６）は、乗物に対向し、前記固定キャリパ本体（１）をハブホルダに連結するねじを受けるように構成された本体連結ハウジング（５３）を形成する本体連結伸長部（５２）を有する、請求項１〜７のいずれかに記載の固定キャリパ本体。
【請求項９】
前記第１及び／又は第２本体半部（６，９）はそれぞれ、前記ディスクブレーキ（２）の両ブレーキ面（３，４）にある関連するブレーキパッド（３５）に複数のスラスト動作を適用するように、少なくとも二つの第１及び／又は第２スラスト装置（８，１１）を収容する二つの第１及び／又は第２ハウジング（７，１０）を有する、請求項１〜８のいずれかに記載の固定キャリパ本体（１）。
【請求項１０】
請求項１〜９のいずれに記載のキャリパ本体を有し、少なくとも対向するスラスト装置（８，１１）と少なくとも２つの対向するブレーキパッド（３５）を有する、ブレーキキャリパ（５４）。
【発明の詳細な説明】
【技術分野】
【０００１】
技術分野
【０００２】
本発明は、乗物、必ずしも限定されるものではないが、特に高性能自動車に使用される、好ましくは、固定キャリパ式のディスクブレーキキャリパ本体に関する。
【０００３】
本発明はまた、ディスクブレーキキャリパ、及び上述の型式のキャリパ本体を有するディスクブレーキアセンブリに関する。
【発明の背景】
【０００４】
発明の背景
【０００５】
ディスクブレーキにおいて、ブレーキキャリパは一般に、軸方向（X-X）を定義する回転軸（A−A)を中心に回転するように構成されたブレーキディスクの外周領域を跨いで配置される。ディスクブレーキにおいて、実質的に軸方向（X-X）に直交する径方向（Ｒ−Ｒ）と、軸方向（X-X）と径方向（Ｒ−Ｒ）の両方に直交する接線方向又は周方向（Ｃ−Ｃ）が定義される。
【０００６】
固定キャリパディスクブレーキのキャリパ本体は、ディスクからの距離が変わらないようにディスクに関連付けされ得る。既知のキャリパ本体は、ブレーキ動作を発生するための第１手段を収容するように構成されてディスククの外側の第１ブレーキ面に対向して配置された第１本体半部、ブレーキ動作を発生するための第２手段を収容するように構成されてディスクの内側の第２ブレーキ面に対向して配置された第２本体半部を有する。第１と第２本体半部は、固定手段によって、ディスクを跨いで配置された２つのブリッジ要素に連結されている。
【０００７】
「外側」の表現は、ホイールのハブとスタッドアクスル（すなわち、ハブホルダ）に取り付けられた状態で、乗物の外側に向かって対向するディスクブレーキアセンブリの側を意味する。同様に、「内側」の表現は、ホイールハブに取り付けられた状態で、乗物の内側に向かって対向するアセンブリの側を意味する。
【０００８】
知られているように、ディスクブレーキ用のディスクは、そこからキャリパのパッドと協働する環状部（ブレーキバンドと名称）が伸びている乗物ハブにディスクを関連付けるように構成されたベルを有する。
【０００９】
ブレーキバンドは、乗物にブレーキ動作を加えるように構成されたディスクブレーキ用キャリパと協働し、これにより、パッドによって、二つのブレーキ板（ブレーキ面と呼ばれる。）の両面に摩擦を加える、ことが意図されている。
【００１０】
ブレーキの動作中、ブレーキキャリパのパッドとブレーキングバンドのブレーキ面との間の摩擦は、廃棄すべき大量の熱を発生する。
【００１１】
確かに、発生した熱は多くの好ましくない現象（例えば、ブレーキングバンドの変形、ブレーキ面上におけるクラックの形成、又はブレーキバンドの劣化を招くブレーキバンドを構成する材料の局部的な状態変化。）を生じる。
【００１２】
上述のように、乗物のブレーキング中、キャリパ本体を押す大きな力がクランプ動作とブレーキ動作である。これらの動作は、ブレーキ動作を生じるように構成された手段（例えば、本体半部に収容された少なくとも一対のピストンとシリンダのアセンブリであって、そのピストンはディスクの両ブレーキ面上のパッドによって動作するもの。）によって生み出される。
【００１３】
ディスクのブレーキ面に対するパッドのクランプ動作は、軸方向に向けられ、ディスクを跨いで配置されたキャリパ本体の構造によってバランスが保たれる。特に、そのような動作は、ディスクを囲繞することによって閉鎖された力のループを形成するブリッジ要素によって対比される。この動作は、キャリパ本体を付勢し、ブリッジ要素を広げる、すなわち、換言すると、軸に沿って接線方向に沿って、または径方向の軸を中心とする窪みと一緒に、キャリパ本体を曲げる。
【００１４】
代わりに、ブレーキ動作は、接線方向、特にディスクの回転方向に向けられる。この動作は、ディスクによってパッドに伝達され、ブリッジ要素に設けられた肩部によって対比され、例えば乗物ホイールのスタブアクスル又はハブキャリアに堅固に連結されたキャリパ本体の支持手段に向けて解放される。この動作がブリッジ要素を付勢し、これによって、本体半部を連結するために必要な部分を変形する。さらに、ブレーキ動作は、ディスクの内側に対向するキャリパ本体側にある支持手段に解放し、これによって、径方向軸を中心にキャリパ本体を曲げる。
【００１５】
上述の動作は、キャリパ本体上で均一に分配されず、その大きさは時間の経過とともに変化し、これにより、ディスクブレーキが正しく動作するうえで受け入れ難いキャリパ本体の変形に加えて、振動や望ましくない甲高い音を生じる。
【００１６】
したがって、従来技術に関して説明した上述の問題を解消し、特にキャリパ本体を軽量化し、ディスクブレーキを跨いで配置されたブリッジ要素を強化し、キャリパ本体の構造及びスラスト装置ハウジング（例えば、ブレーキパッドを付勢するように構成されたスラストピストンを収容するように構成されたシリンダのハウジング）の特に動作を簡略化する構造及び機能特性を有する、固定式のキャリパディスクブレーキのキャリパ本体を提案する必要性がある。
【００１７】
いくつかの従来の解決策において、特に中低位性能の乗物では、フローティング式キャリパ型式のディスクブレーキを使用することが知られている。この解決策において、一つのピストン又はすべてがディスクブレーキの同じ側に配置された複数のピストンを有するキャリパは、ブレーキキャリパが支持要素（すなわち、ブラケット）に対して自由に動くことができる状態で支持されている。支持要素は、対をなすブレーキパッドを支持するために、乗物の固定部（例えば、ハブホルダ）に、支持要素をディスクに対して自由に浮遊又は移動させるスライド規制部と共に、固定されている。上述のように、浮遊式キャリパを備えたディスクブレーキの場合、ピストンはロータの片側にのみ配置されている。すなわち、ピストンは、ディスクの内側（乗物側）にのみ配置されている。
【００１８】
高性能乗物の場合、高効率性によって優れたブレーキ力を生じることから、対向式ピストンディスクブレーキが一般的になっている。対向式ピストンディスクブレーキの場合、ピストンはディスクブレーキの両側に設けられている。ブレーキ動作中、一対のパッドは、両ピストンによってディスクブレーキロータの両ブレーキ面に対して押し付けられる。両ピストン式ディスクブレーキにおいて、ブレーキディスクのロータはピストンを収容するように構成されたシリンダの間に配置され、シリンダの開放側が対向している。
【００１９】
したがって、これらの高性能乗物の場合、ブリッジ要素とブレーキディスクのブレーキ面に対向する本体半部との間の直交性を維持することができる大きな剛性がキャリパ本体に強く必要とされる。
【００２０】
フレニ・ブレンボ株式会社の文献ＧＢ２２１４５８１は、対向ピストン又は固定キャリパ本体を有する単一ブロック式ブレーキキャリパ本体解決策を示している。
【００２１】
確かに、この単一ブロック型のキャリパ本体は、ディスクブレーキに対向する細長い部分が単一の部材に一体化された複数のシリンダを有する。しかし、上述の特許公報に記載された構造は、シリンダを動作したり、単一ブロックに作られた対向ピストン方のディスクブレーキを組み合わせるために時間を要し且つ複雑な特別な方法を必要とするという欠点がある。したがって、製造コストが上昇することは避けられない。
【００２２】
シリンダの動作を簡略化するために、キャリパを２つの半部で構成して連結する解決策が知られている。
【００２３】
この場合、複数のシリンダを有する本体が、乗物の固定部（例えば、ハブホルダ）に連結される取付部又はアタッチメント本体半部を有するとともに内側前部のシリンダを有し、内側前部にシリンダを有する部分又は外側本体とを有する、複数の半部に分割されている。二つの本体部が必要とされるシリンダを形成するように動作されると、本体半部がボルトによって相互に連結されて固定される。
【００２４】
キャリパ本体の例が、ダンロップ・ラバー・コーポレーションによる英国特許第９３６２２２号、ベンディックス・コーポレーションによる米国特許第３，２６１，４２９号公報、デイトン・ワルサー・コーポレーションによる米国特許第５，５３８，１０５号公報、ロバート・ヌルによる米国特許第５，８１，８８６号公報から知られている。
【００２５】
しかし、２つの部分からなるキャリパの上述の構造において、内側本体と外側本体を互いに取り付けて固定するためのボルトが、外側ブレーキパッドによって与えられとともに外側本体のピストンによって付勢されるブレーキトルクを受け、摩擦によって生じるブレーキ動作がロータ又はディスクブレーキの外側面と外側パッドとの間に生じる。したがって、ボルトはブレーキトルクに耐える必要がある。また、ボルトの径を大きくしなければならず、そのためにキャリパ本体が大きく且つ重くなる。乗物のアングル部又はコーナー部の端部に支持されたディスクブレーキの重量がばね下重量になり、それは弾性及び／又は緩衝要素によって止めることができない。したがって、ディスクブレーキの重量が僅かに増加した場合でも、乗物の走行性能がばね下重量の増加によって大きく影響を受ける。
【００２６】
したがって、固定ブレーキキャリパの全体重量を減少させることの必要性が強く感じられる。
【００２７】
この要求は、キャリパ本体を硬くする必要性とスラスト手段の動作を簡略化することの必要性に合わせて、これらの相対立する要求を最適化するものでないいくつかの公知の解決策につながる。
【００２８】
例えば、２部品キャリパのアケボノ・ブレーキ・インコーポレイテッドによる米国特許第６，２６０，６７０号の解決策、３部品キャリパのフレニ・ブレンボ株式会社による欧州特許第１３０３７０８Ｂ１の解決策、３部品キャリパのコンチネンタル・テベス有限合名会社、ワレンによる米国特許出願公開公報第２００６−２３１３５４号の解決策、ロバート・ビッグスによる米国特許出願公開公報第２０１０−１７０７５５号の解決策、及びフランコ・イオリオによる国際特許公開第２０１４−９１４２３号による解決策がある。
【００２９】
ギリランドによる米国特許第５，５１５，９４８号の解決策はまた、ディスクブレーキを跨いで延びるピンによって互いに連結された複数の部分からなるキャリパを示している。この公知の解決策は、所望の強度と機械的な剛性を得るために、大きな径を有する異なる部分の間にピンを設けて連結する必要がある。これにより、キャリパの径方向の寸法が全体として著しく大きくなる。その結果、その解決策は、ブレーキ動作の範囲を大きくするように構成された大型ブレーキディスクロータの現在の要求に適わず、乗物ホイールのリムの内側表面との間にほとんどスペースを残さないものであった。したがって、この公知の解決策は、大きなスチールピンを必要として、ブレーキキャリパの全体重量を減少させるという必要性に適さない。
【００３０】
したがって、別々の部品からなる固定キャリパ本体であって、ブリッジと細長い部材が正確に配列され、それにより、複数の部品間の直交性が完全に保証され、その直交性によってパッドに対する問題（ジャミング、不均一な摩耗）を生じることの無い、固定キャリパ本体の提供が強く望まれている。
【００３１】
また、本体半部とブリッジによって得られる平行度を高めるために、連結部材（すなわち、ブリッジ）が本体半部に連結される精度を改善することが強く望まれている。さらに、ブレーキ動作の開放面に平行又は垂直なブリッジ連結要素の支持面を提供することの必要が強く望まれている。
【発明の概要】
【発明が解決しようとする課題】
【００３２】
本発明の課題は、上述の要求を満足するとともに従来の技術にまつわる上述の問題を解消する構造上及び機能上の特性を有する固定キャリパ本体とキャリパを提供することにある。
【課題を解決するための手段】
【００３３】
課題を解決するための手段
【００３４】
本発明の目的は、上述の相反する要求を達成し最適化する、固定キャリパ本体、ブレーキキャリパ、及びブレーキ装置を提供することである。
【００３５】
その他の目的と利点は、請求項１のキャリパ本体及び請求項１０のブレーキキャリパによって達成される。
【００３６】
いくつかの好適な実施形態は、従属請求項の発明である。
【００３７】
この解決策を分析することにより、提案された解決策により、軽量で且つ過度に変形することなく又全体の寸法を大きくすることなくブレーキ動作を支持できるキャリパ本体を得ることができる。
【００３８】
また、提案された解決策により、キャリパの本体半部の動作を著しく簡略化できる。
【００３９】
さらに、提案された解決策により、従来の解決策よりも快適なブレーキ動作を得ることができ、その結果、振動が減衰し、甲高い音を発生する振動をなくすことができる。
【図面の簡単な説明】
【００４０】
図面の説明
【００４１】
ブレーキディスクの装置と方法の特徴と利点は、非限定的な実施例を通じて、添付図面を参照することにより、好適な実施例に関する以下の説明から明らかになる。
【００４２】
【図１】図１は、本発明に係る固定ブレーキキャリパの乗物側斜視図である。
【００４３】
【図２】図２は、図１のキャリパを乗物の別の視点から見た斜視図である。
【００４４】
【図３】図３は、図１のキャリパを車輪側斜視図である。
【００４５】
【図４】図４は、ディスク外側の回転軸から図１のキャリパを径方向図である。
【００４６】
【図５】図５は、図１のキャリパの分解斜視図である。
【００４７】
【図６】図６は、図１に示すキャリパ本体の部品を乗物側斜視図で、特に、ブリッジクロスバーによって連結された第1と第2のブリッジ要素を示す。
【００４８】
【図７】図７は、図６に示すキャリパの部材の車輪側斜視図で、特に、ブリッジクロスバーによって連結された第1及び第2ブリッジ要素を示す。
【００４９】
【図８】図８は、本体半部に対する細長い要素とハブホルダのキャリパ本体の連結ブッシュを分離した図６における部材を斜視図である。
【００５０】
【図９】図９は、別の実施例に係るブレーキキャリパを乗物側から見た斜視図である。
【００５１】
【図１０】図１０は、図９に係るキャリパの異なる角度の乗物側斜視図である。
【００５２】
【図１１】図１１は、ディスクの外側の回転軸から図９におけるキャリパの径方向図である。
【００５３】
【図１２】図１２は、図９に示すキャリパの分解斜視図を示す。
【００５４】
【図１３】図１３は、ブッシュを強調したブリッジ要素の部分透視斜視図である。
【００５５】
【図１４】図１４は、図１３の要素の周方向に沿った斜視図である。
【００５６】
【図１５】図１５は、他の実施例に係るキャリパのブレーキディスク側分解斜視図で、そこでは、熱保護シートがブリッジ要素に設けられ、ブレーキ動作中にブレーキディスクのブレーキ面とブレーキパッドの摩擦によって生じる熱からブリッジ要素を保護している。
【００５７】
【図１６】図６は、他の実施例に係るブレーキキャリパを車輪側斜視図で、そこでは、ブリッジ要素は繊維強化複合材料で作られ、本体半部がハブホルダとの接続部を有する。
【００５８】
【図１７】図１７は、他の実施例に係るブレーキキャリパを乗物側斜視図で、そこでは、ブリッジ要素が繊維強化複合材で作られ、ブリッジ要素の連結クロスバーがハブホルダに対する連結部を有する。
【００５９】
【図１８】図１８は、本発明に係るキャリパ本体の本体半部をディスク側斜視図である。
【００６０】
【図１９】図１９は、図１８の本体半部の分解斜視図で、そこでは、ブリッジ要素に本体半部の連結ねじがそれぞれの部分に設けられている。
【００６１】
【図２０】図２０は、ブリッジ要素の連結ねじを本体半部に並列に固定する２つのブッシュを備えたブリッジ要素の斜視図である。
【００６２】
【図２１】図２１は、別の実施形態に係る斜視図で、そこでは、本体半部から反対側の本体半部にブレーキ流体を供給するパイプが点線で示されており、ブリッジ要素を横切るパイプの一部がブリッジ要素と一体成型されて形成されている。
【００６３】
【図２２】図２２は、別の実施例に係る乗物側斜視図で、そこでは、本体半部から反対の本体半部にブレーキ流体を供給するパイプが点線で示されており、ブリッジ要素を横切るパイプの一部がブリッジ要素を貫通して形成されている。
【好ましい実施形態の説明】
【００６４】
好ましい実施形態の説明
【００６５】
一般的な実施形態によれば、ディスクブレーキ用ディスク２が提供される。
【００６６】
ディスク２は、対向するブレーキ面３、４と、軸方向Ｘ−Ｘを定義する回転軸Ａ−Ａを中心に回転するように構成された軸対称のディスク本体５を有する。ディスク本体５は、軸方向Ｘ−Ｘに直交する径方向Ｒ−Ｒに沿って、また、軸方向Ｘ−Ｘと径方向Ｒ−Ｒに直交する周方向Ｃ−Ｃに沿って、径方向に展開している。
【００６７】
固定キャリパ本体１は、第１本体半部（ハーフボディ）６を有する。第１本体半部６は、ディスク２のブレーキング面３，４の第１ブレーキング面３に直接又は間接に対向するように構成されている。
【００６８】
第１本体半部は、第１付勢（バイアス）装置８が、ブレーキパッドに圧力を加えることによって第１ブレーキ動作を生成するとともに該ブレーキパッドをブレーキディスク２の第１ブレーキング面３に当てるために、少なくとも一つの第１ハウジング７を有する。
【００６９】
固定キャリパ本体１は、第２スラスト装置１１が第２付勢（バイアス）動作を生成するための、少なくとも一つの第２ハウジング１０を備えた第２本体半部（ハーフボディ）９を有する。
【００７０】
第２本体半部９は、ディスク２のブレーキ面３，４の第２ブレーキ面に直接又は間接に対向するように構成されている。
【００７１】
固定キャリパ本体１は、第２本体半部９を第１本体半部６に連結して支持するために、少なくとも一つの第２ブリッジ要素１２を有する。少なくとも一つのブリッジ要素１２は、第１所定静止面１４に従って方向付けられた少なくとも一つの第１案内及び支持ブリッジ面１３と、第２所定静止面１６に従って方向付けられた少なくとも一つの第２案内及び支持ブリッジ面１５を有する。
【００７２】
第１本体半部６は、少なくとも一つの第１突出部１７を有する。第１突出部１７は、キャリパが乗物に取り付けられた状態で、反対側の第２本体半部９に向けて、又は、ブレーキディスク２に向けて、軸方向Ｘ−Ｘに片持ち状態で突出する。
【００７３】
第２本体半部９は、少なくとも一つの第２突出部１８を有する。第２突出部は、反対側の第１本体半部６に向けて、軸方向Ｘ−Ｘに片持ち状態で突出する。
【００７４】
第１本体半部６、第２本体半部９、及び少なくとも一つのブリッジ要素１２は、３つの互いに分離可能な部材である。これらの本体半部とキャリパのモジュール方式によって、スラスト装置に対してハウジングを迅速かつ正確に動作することが可能である。これにより、キャリパ本体１における、組立公差を減らし、スラスト精度を改善し、好ましくない非対称な変形を減少する。
【００７５】
ブリッジ要素１２が第１半キャリパ６に接続され、かつ、キャリパが作動状態にあるとき、少なくとも一つの第１ブリッジ面１３に平行な第１所定静止面１４にしたがって、少なくとも一つの第１突出部１７は、方向付けられる第１案内及びサポート用本体半部表面９の範囲を定める。
【００７６】
少なくとも一つの第２突出部１８は、ブリッジ要素１２が第２半キャリパ９に接続されたとき、第２所定静止面１６に従って少なくとも一つの第２ブリッジ面１５に平行に方向付けられた第２案内及び静止本体半部面２０の範囲を定める。
【００７７】
少なくとも一つのブリッジ要素１２は、該少なくとも一つのブリッジ要素１２を第１本体半部６に接続して方向付けることによって、その少なくとも一つのブリッジ表面１３を第１本体半部表面１９に対してしっかりと静止させて、少なくとも一つのブリッジ要素１２を周方向Ｃ−Ｃに静止させることが好ましい。
【００７８】
少なくとも一つのブリッジ要素１２は、該少なくとも一つのブリッジ要素１２を第２本体半部９に接続して周方向Ｃ−Ｃに方向付けることによって、その少なくとも一つのブリッジ表面１５を第２本体半部表面２０に対してしっかりと静止させることが好ましい。
【００７９】
一実施例によれば、固定キャリパ本体１は、第２本体半部９を第１本体半部６に接続して支持するために、少なくとも一つの第１ブリッジ要素２１を有する。少なくとも一つのブリッジ要素２１は、第３の所定静止面２３に方向付けられた少なくとも一つの第３の案内及び支持ブリッジ表面２２と、第４の所定静止面２５に方向付けられた少なくとも一つの第４の案内及び支持ブリッジ表面２４を有する、ことが好ましい。
【００８０】
第１本体半部６は少なくとも一つの第３突出部２６を有する。第３突出部２６は、片持ち状態で軸方向Ｘ−Ｘに、反対側の第２本体半部９に向かって突出する。
【００８１】
第２本体半部９は少なくとも一つの第４突出部２６を有する。第４突出部２６は、片持ち状態で軸方向Ｘ−Ｘに、反対側の第１本体半部６に向かって突出する。
【００８２】
少なくとも一つ第３突出部２６は、ブリッジ要素２１が第１半部キャリパ６に接続された状態で、第３の所定静止面２３に向けられて少なくとも一つの第３ブリッジ表面２２に平行な第３案内静止本体半部表面２８の範囲を定める。
【００８３】
少なくとも一つ第４突出部２７は、ブリッジ要素２１が第２半部キャリパ９に接続された状態で、第４の所定静止面２５に向けられて少なくとも一つの第４ブリッジ表面２４に平行な第４案内静止本体半部表面２９の範囲を定める。
【００８４】
少なくとも一つのブリッジ要素２１は、該少なくとも一つのブリッジ要素２１を第１本体半部６に接続して方向付けることによって、その少なくとも一つの第３ブリッジ表面２２を第３本体半部表面２８に対してしっかりと静止させて、少なくとも一つのブリッジ要素２１を周方向Ｃ−Ｃに静止させることが好ましい。
【００８５】
少なくとも一つのブリッジ要素２１は、該少なくとも一つのブリッジ要素２１を第２本体半部９に接続して周方向Ｃ−Ｃに方向付けることによって、その少なくとも一つの第４ブリッジ表面２４を第２本体半部表面２９に対してしっかりと静止させる。
【００８６】
一実施例によれば、少なくとも一つの第１及び／又は第２ブリッジ要素１２はそれぞれ、第１及び第２案内及び径方向静止ブリッジ表面３０，３１を有し、ブリッジ要素１２，２１が第１及び第２半部キャリパ６，９に接続された状態で、ブリッジ表面３０，３１は径方向Ｒ−Ｒと周方向Ｃ−Ｃに向けられる。
【００８７】
第１及び第２本体半部６，９は、２つの第１及び第２案内及び径方向静止本体半部表面３２，３３を有する。
【００８８】
少なくとも一つの第１及び／又は第２ブリッジ要素１２，２１は、該少なくとも一つの第１及び／又は第２ブリッジ要素１２、２１を第１及び第２本体半部６、９に接続して方向付けることによって、その第１及び第２案内及び径方向静止ブリッジ表面３０，３１を第１及び第２案内及び径方向静止本体半部表面３２，３３に対してしっかりと静止させて、少なくとも一つのブリッジ要素２１を軸方向Ｘ−Ｘに静止させる。
【００８９】
一実施例によれば、突出部１７，１８，１９，２７の少なくとも一つは、反対側のブレーキ面３，４に対して横方向に配置されて、少なくとも一つのブレーキパッド３５を周方向Ｃ−Ｃに静止させるように構成された少なくとも一つのパッド支持面３４を有する。
【００９０】
一実施例において、第１及び第２本体半部６，９は第１材料で作られており、ブリッジ要素１２，２１の少なくとも一方は第１材料とは異なる少なくとも一つの第２材料で作れている。
【００９１】
例えば、第１材料はアルミニウムである。
【００９２】
一実施例によれば、第２材料は繊維補強複合材料である。
【００９３】
一実施例によれば、基材は、セラミック及び／又はカーボン補強型ポリマ繊維及び／又はガラス及び／又は玄武岩及び／又は酸化アルミニウム及び／又はシリコンカーバイド及び／又はシリコンファイバであってもよい。実施例によれば、基材は、高剛性セラミックプリフォームを作られ、例えば溶融アルミニウム、例えば共溶融物の基材に挿入されたた挿入物で補強してもよい。
【００９４】
一実施例によれば、第１材料は、第２材料よりも高密度である。
【００９５】
一実施例によれば、第２材料は、第１材料の弾性率よりも大きな弾性率を有する。
【００９６】
一実施例によれば、各本体半部６，９において、第１及び／又は第２案内静止本体半部表面１９，２０と第１及び／又は第２案内及び径方向静止本体半部表面３２，３３は、平坦な表面である。
【００９７】
一実施例によれば、各本体半部６，９において、第１案内及び静止本体半部表面１９，２０と第１案内及び径方向静止本体半部表面３２，３３は互いに直交する表面である。
【００９８】
一実施例によれば、各本体半部６，９において、第２案内及び静止本体半部表面１９，２０と第２案内及び径方向静止本体半部表面３２，３３は互いに直交する表面である。
【００９９】
一実施例によれば、各本体半部６，９において、第１及び／又は第２案内及び静止本体半部表面１９，２０と第１及び／又は第２案内及び径方向静止本体半部表面３２，３３は隣接する対をなして縁を形成する。
【０１００】
一実施例によれば、第１及び／又は第２案内及び支持本体半部面１９，２０と第１及び／又は第２径方向案内及び支持本体半部面３２，３３は、隣接して対をなす面で、本体半部６，９に対するブリッジ要素１２，２１のセンタリングシステムを形成し、これにより、特に硬い特性を有するとともに径方向Ｒ−Ｒに極めて小さな寸法を有する平行四辺形の構造を形成する。
【０１０１】
一実施例によれば、各ブリッジ要素１２，２１において、第１及び／又は第２案内及び静止ブリッジ表面１３，１５と第１及び／又は第２案内及び径方向静止ブリッジ表面３０，３１は、平坦な表面である。
【０１０２】
一実施例によれば、各ブリッジ要素１２，２１において、第１案内及び静止ブリッジ表面１３，１５と第１案内及び径方向静止ブリッジ表面３０，３１は、互いに直交する表面である。
【０１０３】
一実施例によれば、各ブリッジ要素１２，２１において、第２案内及び静止ブリッジ表面１３，１５と第２案内及び径方向静止ブリッジ表面３０，３１は互いに直交する表面である。
【０１０４】
一実施例によれば、各ブリッジ要素１２，２１において、第１及び／又は第２案内及び静止ブリッジ表面１３，１５と第１及び／又は第２案内及び径方向静止ブリッジ表面３０，３１は、隣接して対をなして縁を形成する。一実施例によれば、第１及び／又は第２案内及び支持ブリッジ表面１３，１５と第１及び／又は第２径方向案内及び支持ブリッジ表面３０，３１は平坦な表面であるが、ブリッジ要素１２，２１を第１及び第２本体半部６，９のセンタリングを容易にするために、例えば円筒形又はテーパ形状等のその他の形状であってもよい。
【０１０５】
一実施例によれば、第１及び／又は第２案内及び支持ブリッジ表面１３，１５と第１及び／又は第２径方向案内及び支持ブリッジ表面３０，３１は、隣接して対をなす表面で、本体半部６，９に対するブリッジ要素１２，２１のセンタリングシステムを形成し、これにより、特に硬い特性を有するとともに径方向Ｒ−Ｒに極めて小さな寸法を有する平行四辺形を形成する。
【０１０６】
一実施例によれば、少なくとも一つのブリッジ要素１２，２１は、ブレーキディスク２を跨いで配置されるように構成された逆Ｕブリッジハウジング３９を形成する。
【０１０７】
一実施例によれば、ブリッジハウジング３９は、ブレーキディスク２に対向する部分が、例えば固定ねじによって少なくともブリッジ要素１２，２１に固定された熱保護シート４４によって保護されている。例えば、熱保護シートを用いることは、本件出願人によるＷＯ２０１７／０２１８７４Ａ１によって知られている。
【０１０８】
一実施例によれば、少なくとも一つのブリッジ要素１２，２１は、第１と第２ブリッジ側壁３６，３７を有する。側壁３６，３７は、少なくとも一部が第１及び第２本体半部６，９と、ブリッジ３８における弧状接続部に対向している。
【０１０９】
一実施例によれば、第１と第２ブリッジ側壁３６，３７は、第１と第２反対側の案内及び径方向静止ブリッジ面３０，３１を形成する。
【０１１０】
一実施例によれば、第１と第２本体半部６，９は本体半部貫通孔４０を有する。
【０１１１】
一実施例によれば、第１と第２ブリッジ要素１２，２１はねじ付きブリッジハウジング４１を有する。
【０１１２】
一実施例によれば、固定キャリパ本体１は少なくとも一つのスタッド４２を有する。スタッド４２は、本体半部貫通孔４０に収容されて、少なくとも一つのブリッジ要素１２，２１を本体半部６，９にしっかりと接続するブリッジ４１のねじ付きハウジングにねじ込まれている。
【０１１３】
一実施例によれば、第１及び第２本体半部６，９の第１及び／又は第２案内及び径方向静止本体半部表面３２，３３は、本体半部４０の貫通孔を有する。
【０１１４】
一実施例によれば、第１及び第２ブリッジ要素１２，２１の第１及び／又は第２案内及び径方向静止ブリッジ表面３０，３１は、ブリッジねじ付きハウジング４１を有する。
【０１１５】
一実施例によれば、少なくとも２つのスタッド４２が、本体半部貫通孔４０に収容されて対向するブリッジねじ付きハウジング４１にしっかりとねじ止めされ、第１及び第２ブリッジ要素１２，２１を第１及び第２本体半部６，９に接続する。
【０１１６】
一実施例によれば、ねじ付きブリッジハウジング４１は、第１及び／又は第２ブリッジ要素１２，２１の本体に設けられたハウジングに固定されたブリッジねじ付きブッシュ４３を有する。
【０１１７】
一実施例によれば、ねじ付きブリッジハウジング４１は、第１及び／又は第２ブリッジ要素１２，２１に埋め込まれたねじ付きブリッジブッシュ４３を有する。
【０１１８】
一実施例によれば、ねじ付きブリッジハウジング４１は、第１及び／又は第２ブリッジ要素１２，２１と共に成形されたねじ付きブリッジブッシュ４３を有する。
【０１１９】
一実施例によれば、本体半部貫通孔４０とブリッジねじ付きハウジング４１は、軸方向Ｘ−Ｘに向けられており、ブレーキディスク２のブレーキ面３，４に対向するように構成されている。
【０１２０】
一実施例によれば、第１及び第２本体半部６，９が供給されており、少なくとも第１及び第２ハウジング７，１０にブレーキ流体を供給して、ブレーキディスク２のブレーキ面３，４に当接するように構成されたブレーキパッド３５の上の少なくとも第１及び第２スラスト要素８，１１にスラスト動作を加える。
【０１２１】
一実施例によれば、第１本体半部６は、乗物に対向して配置され、ブレーキシステムに流体連結されている。第１及び第２本体半部６，９は、ブリッジ要素１２及び／又は２１の少なくとも一方を外側から包むブレーキ流体供給パイプ４５によって相互に流体連結されている。
【０１２２】
一実施例によれば、第１本体半部６は、乗物に対向して配置され、ブレーキシステムに流体連結されている。第１及び第２本体半部６，９は、ブリッジ要素１２及び／又は２１の少なくとも一方と共に埋め込まれた（例えば、一緒に成形された、又は一緒に溶接された）ブレーキ流体供給パイプ４５によって相互に流体連結されている。
【０１２３】
一実施例によれば、第１本体半部６は、乗物に対向して配置され、ブレーキシステムに流体連結されている。第１及び第２本体半部６，９は、ブリッジ要素１２及び／又は２１の少なくとも一方に穴をあけることによって得られた作動ブレーキ流体供給パイプによって相互に流体連結されている。
【０１２４】
一実施例によれば、第１及び第２ブリッジ要素１２，２１は、ブリッジクロスバー４９によって互いに連結されている。
【０１２５】
一実施例によれば、第１及び第２ブリッジ要素１２，２１は、ブリッジクロスバー４９によって互いに連結され、第１及び第２ブリッジ要素１２，２１とブリッジクロスバー４９は一つの部部材となっている。
【０１２６】
一実施例によれば、ブリッジクロスバー４９は、乗物に対向し、固定されたキャリパ本体１をハブホルダに連結するように構成されている。
【０１２７】
一実施例によれば、ブリッジクロスバー４９は、ハブバーに対するブリッジクロスバー連結ハウジング５０を有し、ハブホルダに対する固定キャリパ本体１の連結ねじを受けるように構成されている。
【０１２８】
一実施例によれば、ブリッジクロスバー連結ハウジング５０は、ハブホルダ連結ブッシュ５１を有し、ハブホルダに対する固定キャリパ本体の連結ねじを受けるように構成されている。
【０１２９】
一実施例によれば、ハブホルダ連結ブッシュ５１は、ブリッジクロスバー連結ハウジング５０に固定されている。
【０１３０】
一実施例によれば、ハブホルダ連結ブッシュ５１は、ブリッジクロスバー４９に埋め込まれている。
【０１３１】
一実施例によれば、ハブホルダ連結ブッシュ５１は、ブリッジクロスバー４９に一緒に成形されるか一緒に溶接されている。
【０１３２】
一実施例によれば、第１及び第２ブリッジ要素１２，２１は互いに分離された部材で、それぞれが第１及び第２本体半部６，９に連結されている。
【０１３３】
一実施例によれば、第１本体半部６は、固定キャリパ本体１をハブホルダに連結するねじを受けるように構成された本体連結ハウジング５３を形成する本体連結伸長部５２を有する。
【０１３４】
一実施例によれば、第１及び／又は第２本体半部６，９はそれぞれ、少なくとも２つの第１及び／又は第２スラストデバイス８，１１を収容するための２つの第１及び／又は第２ハウジング７，１０を有し、ディスクブレーキ２の対向するそれぞれのブレーキ面３，４上の関連するブレーキパッド３５に複数のスラスト動作を与えるようになっている。
【０１３５】
本発明はさらに、上述のいずれかのキャリパ本体を有し、少なくとも２つの対向するスラスト装置８，１１と少なくとも２つの対向するブレーキパッド３５を有するブレーキキャリパ５４に関する。
【０１３６】
当業者は、特許請求の範囲から逸脱することなく、不測の必要性に応じて、上述の実施例に多くの変更や改変を加えることができ、又は、いくつかの要素を機能的に同等の別の要素に置換することができる。
【符号の説明】
【０１３７】
１：固定キャリパ本体
２：ディスクブレーキディスク
３：反対ブレーキ面
４：反対ブレーキ面
５：ディスク本体
６：第１本体半部
７：第１ハウジング
８：第１スラスト装置
９：第２本体半部
１０：第２ハウジング
１１：第２スラストデバイス
１２：第１ブリッジ要素
１３：第１案内及び支持ブリッジ面
１４：第１所定静止平面
１５：第２案内及び支持ブリッジ面
１６：第２所定静止平面
１７：第１突出部
１８：第２突出部
１９：第１案内及び支持本体半部面
２０：第２案内及び支持本体半部面
２１：第２ブリッジ要素
２２：第３案内及び支持ブリッジ面
２３：第３所定静止平面
２４：第４案内及び支持ブリッジ面
２５：第４所定静止平面
２６：第３突出部
２７：第４突出部
２８：第３案内及び支持本体半部面
２９：第４案内及び支持本体半部面
３０：第１径方向案内及び支持ブリッジ面
３１：第２径方向案内及び支持ブリッジ面
３２：第１径方向案内及び支持本体半部面
３３：第２径方向案内及び支持本体半部面
３４：パッド静止面
３５：ブレーキパッド
３６：第１側部ブリッジ側壁
３７：第２ブリッジ側壁
３８：ブリッジ連結部
３９：ブリッジハウジング
４０：本体半部貫通孔
４１：ブリッジねじ付きハウジング
４２：スタッド
４３：ブリッジねじ付きブッシュ
４４：熱保護シート
４５：外側ブレーキ流体供給パイプ
４６：内側ブレーキ流体供給パイプ
４７：内側ブレーキ流体供給パイプ
４８：作動ブレーキ流体供給パイプ
４９：ブリッジクロスバー
５０：ブリッジクロスバー連結ハウジング
５１：ハブホルダ連結ブッシュ
５２：本体連結伸長部
５３：本体連結ハウジング
５４：ブレーキキャリパ
Ａ−Ａ：方向軸及び回転軸
Ｘ−Ｘ：軸方向
Ｒ−Ｒ：径方向
Ｃ−Ｃ：周方向
【図１】
2021515149.tif 000003
【図２】
2021515149.tif 000004
【図３】
2021515149.tif 000005
【図４】
2021515149.tif 000006
【図５】
2021515149.tif 000007
【図６】
2021515149.tif 000008
【図７】
2021515149.tif 000009
【図８】
2021515149.tif 000010
【図９】
2021515149.tif 000011
【図１０】
2021515149.tif 000012
【図１１】
2021515149.tif 000013
【図１２】
2021515149.tif 000014
【図１３】
2021515149.tif 000015
【図１４】
2021515149.tif 000016
【図１５】
2021515149.tif 000017
【図１６】
2021515149.tif 000018
【図１７】
2021515149.tif 000019
【図１８】
2021515149.tif 000020
【図１９】
2021515149.tif 000021
【図２０】
2021515149.tif 000022
【図２１】
2021515149.tif 000023
【図２２】
2021515149.tif 000024
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
ディスクブレーキディスク（２）用の、例えば固定キャリパ本体（１）であって、
前記ディスク（２）は、対向するブレーキ面（３，４）と、軸方向（Ｘ−Ｘ）の回転軸（Ａ−Ａ）を中心に回転するように構成された軸対称のディスク本体（５）を有し、
前記ディスク本体（５）は、前記軸方向（Ｘ−Ｘ）に直交する径方向（Ｒ−Ｒ）に沿って、また、前記軸方向（Ｘ−Ｘ）と前記径方向（Ｒ−Ｒ）の両方に直交する周方向（Ｃ−Ｃ）に沿って、径方向に進展しており、
前記固定キャリパ本体（１）は、
第１スラスト装置（８）に第１ブレーキ動作を生成させる少なくとも第１ハウジング（７）を有する第１本体半部（６）であって、前記ディスク（２）の前記ブレーキ面（３，４）の第１ブレーキ面（３）に直接又は間接に対向するように構成されている、第１本体半部（６）と、
第２スラスト装置（１１）に第２ブレーキ動作を生成させる少なくとも第２ハウジング（１０）を有する第２本体半部（９）であって、前記ディスク（２）の前記ブレーキ面（３，４）の第２ブレーキ面（４）に直接又は間接に対向するように構成されている、第２本体半部（９）と、
前記第２本体半部（９）を前記第１本体半部に連結して支持させるための少なくとも第１ブリッジ要素（１２）であって、前記少なくとも一つのブリッジ要素（１２）は、第１所定静止平面（１４）に従って方向付けられた少なくとも一つの第１案内及び静止ブリッジ面（１３）と第２所定静止平面（１６）に従って方向付けられた第２案内及び支持ブリッジ面（１５）を有する、少なくとも第１ブリッジ要素（１２）を備えており、
前記第１本体半部（６）は、反対側の前記第２本体半部（９）に向かって軸方向（Ｘ−Ｘ）に片持ち状態で突出する少なくとも第１突出部（１７）を有し、
前記第２本体半部（９）は、反対側の前記第１本体半部（６）に向かって軸方向（Ｘ−Ｘ）に片持ち状態で突出する少なくとも第２突出部（１８）を有し、
前記第１本体半部（６）、前記第２本体半部（９）、及び前記少なくとも一つのブリッジ要素（１２）は、３つの互いに分離可能な部材であり、
前記少なくとも第１突出部（１７）は、前記ブリッジ要素（１２）が前記第１本体半部（６）に連結されている状態で、前記第１所定静止平面（１４）に従って方向付けられ且つ少なくとも第１静止ブリッジ面（１３）に平行な第１案内及び静止本体半部面（１９）の範囲を定め、
前記少なくとも第２突出部（１８）は、前記ブリッジ要素（１２）が前記第２本体半部（９）に連結されている状態で、前記第２所定静止平面（１６）に従って方向付けられ且つ少なくとも第１ブリッジ面（１５）に平行な第２案内及び静止本体半部面（２０）の範囲を定め、
前記少なくとも一つのブリッジ要素（１２）は、前記少なくとも一つのブリッジ要素（１２）を前記第１本体半部（６）に連結して方向付けることによって、前記第１本体半部面（１９）に対して少なくとも第１ブリッジ面（１３）をしっかりと静止させて、前記少なくとも一つのブリッジ要素（１２）を周方向（Ｃ−Ｃ）に静止させ、
前記少なくとも一つのブリッジ要素（１２）は、前記少なくとも一つのブリッジ要素（１２）を前記第２本体半部（９）に連結して周方向（Ｃ−Ｃ）に方向付けることによって、前記第２本体半部面（２０）に対して少なくとも第２ブリッジ面（１５）をしっかりと静止させる、キャリパ本体（１）。
【請求項２】
前記固定式のキャリパ本体（１）は、前記第２本体半部（９）を前記第１本体半部（６）に連結して支持させる少なくとも第１ブリッジ要素（２１）を有し、前記少なくとも一つのブリッジ要素（２１）は、第３所定静止平面（２３）に従って方向付けられた少なくとも第３案内及び静止ブリッジ面（２２）と、第４所定静止平面（２５）に従って方向付けられた少なくとも第４案内及び支持ブリッジ面（２４）を有し、
前記第１本体半部（６）は、反対側の前記第２本体半部（９）に向かって軸方向（Ｘ−Ｘ）に片持ち状態で突出する少なくとも第３突出部（２６）を有し、
前記第２本体半部（９）は、反対側の前記第１本体半部（６）に向かって軸方向（Ｘ−Ｘ）に片持ち状態で突出する少なくとも第４突出部（２７）を有し、
前記少なくとも第３突出部（２６）は、前記ブリッジ要素（２１）が前記第１本体半部（６）に接続された状態で、前記第３所定静止面（２３）に従って方向付けられて前記少なくとも第３静止ブリッジ面（２２）に平行な第３案内及び静止本体半部面（２８）の範囲を定め、
前記少なくとも第４突出部（２７）は、前記ブリッジ要素（１２）が前記第２本体半部（９）に連結されている状態で、前記第４所定静止平面（２５）に従って方向付けられ且つ少なくとも第４静止ブリッジ面（２４）に平行な第４案内及び静止本体半部面（２９）の範囲を定め、
前記少なくとも第２ブリッジ要素（２１）は、前記少なくとも一つのブリッジ要素（２１）を前記第１本体半部（６）に連結して方向付けることによって、前記第３本体半部面（２８）に対して少なくとも第３ブリッジ面（２２）をしっかりと静止させて、前記少なくとも一つのブリッジ要素（２１）を周方向（Ｃ−Ｃ）に静止させ、
前記少なくとも一つのブリッジ要素（２１）は、前記少なくとも一つのブリッジ要素（２１）を前記第２本体半部（９）に連結して周方向（Ｃ−Ｃ）に方向付けることによって、前記第４本体半部面（２９）に対して少なくとも第４ブリッジ面（２４）をしっかりと静止させる、請求項１に記載のキャリパ本体（１）。
【請求項３】
前記少なくとも第１及び／又は第２ブリッジ要素（１２，２１）はそれぞれ、第１及び第２案内及び径方向静止ブリッジ面（３０，３１）を有し、
前記ブリッジ要素（１２，２１）が前記第１及び第２本体半部（６，９）に連結された状態で、前記第１及び第２案内及び径方向静止ブリッジ面（３０，３１）は径方向（Ｒ−Ｒ）と周方向（Ｃ−Ｃ）に方向付けられ、
前記第１及び第２本体半部（６，９）は、二つの第１及び第２案内及び径方向静止本体半部面（３２，３３）を有し、
前記少なくとも第１及び／又は第２ブリッジ要素（１２，２１）は、前記少なくとも第１及び／又は第２ブリッジ要素（１２、２１）を第１及び第２本体半部（６、９）に接続して方向付けることによって、前記第１及び第２案内及び径方向静止ブリッジ表面（３０，３１）を前記第１及び第２案内及び径方向静止本体半部表面（３２，３３）に対してしっかりと静止させて、少なくとも一つのブリッジ要素（２１）を軸方向（Ｘ−Ｘ）に静止させ、及び／又は
前記突出部（１７，１８，２６，２７）の少なくとも一つは、少なくとも一つのブレーキパッド（３５）を周方向に静止させて受けるために、前記対向するブレーキ面（３，４）を横断して配置されるように構成された少なくとも一つのパッド支持面（３４）を有する、請求項１に記載の固定されたキャリパ本体。
【請求項４】
前記第１及び第２本体半部（６，９）は第１材料で作られており、
前記少なくとも一つのブリッジ要素（１２，２１）は、前記第１材料とは異なる少なくとも第２材料で作られており、及び／又は
前記第１材料はアルミニウムであり、及び／又は
前記第２材料は、例えば、セラミック、及び／又は炭素繊維で補強されたポリマー基材、及び／又はガラス、及び／又は玄武岩、及び／又はアルミニウム、及び／又は炭化ケイ素、及び／又はシリコン繊維、及び／又は
前記第１材料は前記第２材料よりも高密度で、及び／又は
前記第２材料は、前記第１材料の弾性率よりも大きな弾性率を有する、請求項１に記載の固定されたキャリパ本体。
【請求項５】
各本体半部（６，９）において、前記第１及び／又は第２案内及び静止本体半部表面（１９，２０）と前記第１及び／又は第２案内及び径方向静止本体半部表面（３２，３３）は平坦面で、及び／又は
各本体半部（６，９）において、前記第１案内及び静止本体半部表面（１９，２０）と前記第１案内及び径方向静止本体半部表面（３２，３３）は互いに直交する面で、及び／又は
各本体半部（６，９）において、前記第２案内及び静止本体半部表面（１９，２０）と前記第２案内及び径方向静止本体半部表面（３２，３３）は互いに直交する面で、及び／又は
各本体半部（６，９）において、前記第１及び／又は第２案内及び静止本体半部表面（１９，２０）と前記第１及び／又は第２案内及び径方向静止本体半部表面（３２，３３）は隣接して対になって縁を形成し、及び／又は
各ブリッジ要素（１２，２１）において、前記第１及び／又は第２案内及び静止ブリッジ面（１３，１５）と前記第１及び／又は第２案内及び径方向静止ブリッジ面（３０，３１）は平坦な面で、及び／又は
各ブリッジ要素（１２，２１）において、前記第１案内及び静止ブリッジ面（１３，１５）と前記第１案内及び径方向静止ブリッジ面（３０，３１）は互いに直交する面で、及び／又は
各ブリッジ要素（１２，２１）において、前記第２案内及び静止ブリッジ面（１３，１５）と前記第２案内及び径方向静止ブリッジ面（３０，３１）は互いに直交する面で、及び／又は
各ブリッジ要素（１２，２１）において、前記第１及び／又は第２案内及び静止ブリッジ面（１３，１５）と前記第１及び／又は第２案内及び径方向静止ブリッジ面（３０，３１）は隣接して対になって縁を形成し、及び／又は
前記少なくとも一つのブリッジ要素（１２，２１）は、前記ブレーキディスク（２）を跨いで配置されるように構成されている逆Ｕ形状のブリッジハウジング（３９）を形成し、及び／又は
前記ブリッジハウジング（３９）は、前記ブレーキディスク（２）に対向する箇所が、前記少なくとも一つのブリッジ要素（１２，２１）に固定された熱保護シート（４４）によって遮蔽されており、及び／又は
前記少なくとも一つのブリッジ要素（１２，２１）は、前記第１及び第２本体半部（６，９）と前記ブリッジ（３８）の弧状連結部に少なくとも一部が対向する第１及び第２ブリッジ側壁（３６，３７）を有し、及び／又は
前記第１及び第２ブリッジ側壁（３６，３７）は、対向する第１及び第２案内及び径方向静止面（３０，３１）を形成し、及び／又は
前記第１及び第２本体半部（６，９）は本体半部貫通孔（４０）を有し、及び／又は
前記第１及び第２ブリッジ要素（１２，２１）はブリッジ貫通孔（４１）を有し、及び／又は
前記固定されたキャリパ本体（１）は、前記本体半部貫通孔（４０）に収容され且つ少なくとも一つのブリッジ要素（１２，２１）を前記本体半部（６，９）にしっかりと連結する前記ブリッジ（４１９の前記ねじ付きハウジングにねじ込まれ、及び／又は
前記第１及び第２本体半部（６，９）の前記第１及び第２案内及び径方向静止本体半部面（３２，３３）はそれぞれ、本体半部貫通孔（４０）を有し、及び／又は
前記第１及び第２ブリッジ要素（１２，２１）の前記第１及び第２案内及び径方向静止ブリッジ面（３０，３１）はそれぞれ、ねじ付きブリッジハウジング（４１）を有し、及び／又は
少なくとも二つのスタッド（４２）が前記本体半部貫通孔（４０）に収容され、前記第１及び第２ブリッジ要素（１２，２１）を前記第１及び第２本体半部（６，９）にしっかりと連結する前記ブリッジねじ付きハウジング（４１）にねじ込まれており、及び／又は
前記ねじ付きブリッジハウジング（４１）は、前記第１及び／又は第２ブリッジ要素（１２，２１）の前記本体に設けられたハウジングに固定されたブリッジねじ付きブッシュ（４３）を有し、及び／又は
前記ねじ付きブリッジハウジング（４１）は、前記第１及び／又はブリッジ要素（１２，２１）の前記本体に埋め込まれたねじ付きブリッジブッシュ（４３）を有し、及び／又は
前記ねじ付きブリッジハウジング（４１）は、前記第１及び／又は第２ブリッジ要素（１２，２１）の前記本体と共に成形されたねじ付きブリッジブッシュ（４３）を有し、及び／又は
前記本体半部貫通孔（４０）と前記ブリッジねじ付きハウジング（４１）は、前記軸方向（Ｘ−Ｘ）に沿って方向付けられ、前記ブレーキディスク（２）の前記ブレーキ面（３，４）に対向するように構成されている、請求項１に記載の固定されたキャリパ本体（１）。
【請求項６】
前記第１及び第２本体半部（６，９）は、少なくとも第１及び第２ハウジング（７，１０）にブレーキ流体を供給し、前記ブレーキディスク（２）の前記ブレーキ面（３，４）に当接するように構成されたブレーキパッド（３５）上の少なくとも第１及び第２スラスト要素（８，１１）にスラスト動作を加えてブレーキ動作を加えるように設けられ、
前記第１本体半部（６）は、乗物に対向して配置され、前記ブレーキシステムに流体連結されており、
前記第１及び第２本体半部（６，９）は、前記少なくとも一つのブリッジ要素（１２及び／又は２１）を外側から包むブレーキ流体供給パイプ（４５）によって相互に流体連結されており、
前記第１本体半部（６）は、乗物に対向して配置され、前記ブレーキシステムに流体連結されており、
前記第１及び第２本体半部（６，９）は、前記少なくとも一つのブリッジ要素（１２及び／又は２１）と共に埋め込まれた（例えば、一緒に成形された、または一緒に溶接された）ブレーキ流体供給パイプ（４６）によって相互に流体連結されており、
前記第１本体半部（６）は、乗物に対向して配置され、前記ブレーキシステムに流体連結されており、
前記第１及び第２本体半部（６，９）は、少なくとも一つのブリッジ要素（１２及び／または２１）に孔をあけて得られた作動ブレーキ流体供給パイプ（４８）によって、相互に流体連結されている、請求項１に記載の固定キャリパ本体。
【請求項７】
前記第１及び第２ブリッジ要素（１２，２１）はブリッジクロスバー（４９）によって相互に連結されており、及び／又は
前記第１及び第２ブリッジ要素（１２，２１）は、ブリッジクロスバー（４９）によって相互に連結されて、前記第１及び第２ブリッジ要素（１２，２１）と前記ブリッジクロスバー（４９）は一つの部品となっており、及び／又は
前記ブリッジクロスバー（４９）は、乗物に対向し、前記固定キャリパ本体（１）をハブホルダに連結するように構成されており、及び／又は
前記前記ブリッジクロスバー（４９）は、前記ハブホルダに対する前記固定キャリパ本体（１）の連結ねじを受けるように構成された、ハブホルダに対するブリッジクロスバー連結ハウジングを有し、及び／又は
前記ブリッジクロスバー連結ハウジング（５０）は、前記ハブホルダに対する前記固定キャリパ本体（１）の連結ねじを受けるように構成されたハブホルダ連結ブッシュ（５１）を有し、及び／又は
前記ハブホルダ連結ブッシュ（５１）は、ブリッジクロスバー連結ハウジング（５０）に固定されており、及び／又は
前記ハブホルダ連結ブッシュ（５１）は、前記ブリッジクロスバー（４９）に埋め込まれており、及び／又は
前記ハブホルダ連結ブッシュ（５１）は、前記ブリッジクロスバー（４９）に一緒に成形されるか一緒に溶接されている、請求項１に記載の固定キャリパ本体。
【請求項８】
前記第１及び第２ブリッジ要素（１２，２１）は、異なる構成要素で、それぞれが前記第１及び第２本体半部（６，９）に連結されており、及び／又は
前記第１本体半部（６）は、乗物に対向し、前記固定キャリパ本体（１）をハブホルダに連結するねじを受けるように構成された本体連結ハウジング（５３）を形成する本体連結伸長部（５２）を有する、請求項１に記載の固定キャリパ本体。
【請求項９】
前記第１及び／又は第２本体半部（６，９）はそれぞれ、前記ディスクブレーキ（２）の両ブレーキ面（３，４）にある関連するブレーキパッド（３５）に複数のスラスト動作を適用するように、少なくとも二つの第１及び／又は第２スラスト装置（８，１１）を収容する二つの第１及び／又は第２ハウジング（７，１０）を有する、請求項１に記載の固定キャリパ本体（１）。
【請求項１０】
請求項１に記載のキャリパ本体を有し、少なくとも対向するスラスト装置（８，１１）と少なくとも２つの対向するブレーキパッド（３５）を有する、ブレーキキャリパ（５４）。
【手続補正２】
【補正対象書類名】明細書
【補正対象項目名】００７１
【補正方法】変更
【補正の内容】
【００７１】
固定キャリパ本体１は、第２本体半部９を第１本体半部６に連結して支持するために、少なくとも一つの第２ブリッジ要素１２を有する。少なくとも一つのブリッジ要素１２は、第１所定静止面１４に従って方向付けられた少なくとも一つの第１案内及び静止ブリッジ面１３と、第２所定静止面１６に従って方向付けられた少なくとも一つの第２案内及び静止ブリッジ面１５を有する。
【手続補正３】
【補正対象書類名】明細書
【補正対象項目名】００７５
【補正方法】変更
【補正の内容】
【００７５】
ブリッジ要素１２が第１本体半部６に接続され、かつ、キャリパが作動状態にあるとき、少なくとも一つの第１ブリッジ面１３に平行な第１所定静止面１４にしたがって、少なくとも一つの第１突出部１７は、方向付けられる第１案内及び静止本体半部表面９の範囲を定める。
【手続補正４】
【補正対象書類名】明細書
【補正対象項目名】００７６
【補正方法】変更
【補正の内容】
【００７６】
少なくとも一つの第２突出部１８は、ブリッジ要素１２が第２本体半部９に接続されたとき、第２所定静止面１６に従って少なくとも一つの第２ブリッジ面１５に平行に方向付けられた第２案内及び静止本体半部面２０の範囲を定める。
【手続補正５】
【補正対象書類名】明細書
【補正対象項目名】００７９
【補正方法】変更
【補正の内容】
【００７９】
一実施例によれば、固定キャリパ本体１は、第２本体半部９を第１本体半部６に接続して支持するために、少なくとも一つの第１ブリッジ要素２１を有する。少なくとも一つのブリッジ要素２１は、第３の所定静止面２３に方向付けられた少なくとも一つの第３の案内及び静止ブリッジ表面２２と、第４の所定静止面２５に方向付けられた少なくとも一つの第４の案内及び静止ブリッジ表面２４を有する、ことが好ましい。
【手続補正６】
【補正対象書類名】明細書
【補正対象項目名】００８２
【補正方法】変更
【補正の内容】
【００８２】
少なくとも一つ第３突出部２６は、ブリッジ要素２１が第１本体半部６に接続された状態で、第３の所定静止面２３に向けられて少なくとも一つの第３ブリッジ表面２２に平行な第３案内静止本体半部表面２８の範囲を定める。
【手続補正７】
【補正対象書類名】明細書
【補正対象項目名】００８３
【補正方法】変更
【補正の内容】
【００８３】
少なくとも一つ第４突出部２７は、ブリッジ要素２１が第２本体半部９に接続された状態で、第４の所定静止面２５に向けられて少なくとも一つの第４ブリッジ表面２４に平行な第４案内静止本体半部表面２９の範囲を定める。
【手続補正８】
【補正対象書類名】明細書
【補正対象項目名】００８６
【補正方法】変更
【補正の内容】
【００８６】
一実施例によれば、少なくとも一つの第１及び／又は第２ブリッジ要素１２はそれぞれ、第１及び第２案内及び径方向静止ブリッジ表面３０，３１を有し、ブリッジ要素１２，２１が第１及び第２本体半部６，９に接続された状態で、ブリッジ表面３０，３１は径方向Ｒ−Ｒと周方向Ｃ−Ｃに向けられる。
【手続補正９】
【補正対象書類名】明細書
【補正対象項目名】０１００
【補正方法】変更
【補正の内容】
【０１００】
一実施例によれば、第１及び／又は第２案内及び静止本体半部面１９，２０と第１及び／又は第２径方向案内及び静止本体半部面３２，３３は、隣接して対をなす面で、本体半部６，９に対するブリッジ要素１２，２１のセンタリングシステムを形成し、これにより、特に硬い特性を有するとともに径方向Ｒ−Ｒに極めて小さな寸法を有する平行四辺形の構造を形成する。
【手続補正１０】
【補正対象書類名】明細書
【補正対象項目名】０１０４
【補正方法】変更
【補正の内容】
【０１０４】
一実施例によれば、各ブリッジ要素１２，２１において、第１及び／又は第２案内及び静止ブリッジ表面１３，１５と第１及び／又は第２案内及び径方向静止ブリッジ表面３０，３１は、隣接して対をなして縁を形成する。一実施例によれば、第１及び／又は第２案内及び静止ブリッジ表面１３，１５と第１及び／又は第２径方向案内及び静止ブリッジ表面３０，３１は平坦な表面であるが、ブリッジ要素１２，２１を第１及び第２本体半部６，９のセンタリングを容易にするために、例えば円筒形又はテーパ形状等のその他の形状であってもよい。
【手続補正１１】
【補正対象書類名】明細書
【補正対象項目名】０１０５
【補正方法】変更
【補正の内容】
【０１０５】
一実施例によれば、第１及び／又は第２案内及び静止ブリッジ表面１３，１５と第１及び／又は第２径方向案内及び静止ブリッジ表面３０，３１は、隣接して対をなす表面で、本体半部６，９に対するブリッジ要素１２，２１のセンタリングシステムを形成し、これにより、特に硬い特性を有するとともに径方向Ｒ−Ｒに極めて小さな寸法を有する平行四辺形を形成する。
【手続補正１２】
【補正対象書類名】明細書
【補正対象項目名】０１３７
【補正方法】変更
【補正の内容】
【０１３７】
１：固定キャリパ本体
２：ディスクブレーキディスク
３：反対ブレーキ面
４：反対ブレーキ面
５：ディスク本体
６：第１本体半部
７：第１ハウジング
８：第１スラスト装置
９：第２本体半部
１０：第２ハウジング
１１：第２スラストデバイス
１２：第１ブリッジ要素
１３：第１案内及び静止ブリッジ面
１４：第１所定静止平面
１５：第２案内及び静止ブリッジ面
１６：第２所定静止平面
１７：第１突出部
１８：第２突出部
１９：第１案内及び静止本体半部面
２０：第２案内及び静止本体半部面
２１：第２ブリッジ要素
２２：第３案内及び静止ブリッジ面
２３：第３所定静止平面
２４：第４案内及び静止ブリッジ面
２５：第４所定静止平面
２６：第３突出部
２７：第４突出部
２８：第３案内及び静止本体半部面
２９：第４案内及び静止本体半部面
３０：第１径方向案内及び静止ブリッジ面
３１：第２径方向案内及び静止ブリッジ面
３２：第１径方向案内及び静止本体半部面
３３：第２径方向案内及び静止本体半部面
３４：パッド静止面
３５：ブレーキパッド
３６：第１側部ブリッジ側壁
３７：第２ブリッジ側壁
３８：ブリッジ連結部
３９：ブリッジハウジング
４０：本体半部貫通孔
４１：ブリッジねじ付きハウジング
４２：スタッド
４３：ブリッジねじ付きブッシュ
４４：熱保護シート
４５：外側ブレーキ流体供給パイプ
４６：内側ブレーキ流体供給パイプ
４７：内側ブレーキ流体供給パイプ
４８：作動ブレーキ流体供給パイプ
４９：ブリッジクロスバー
５０：ブリッジクロスバー連結ハウジング
５１：ハブホルダ連結ブッシュ
５２：本体連結伸長部
５３：本体連結ハウジング
５４：ブレーキキャリパ
Ａ−Ａ：方向軸及び回転軸
Ｘ−Ｘ：軸方向
Ｒ−Ｒ：径方向
Ｃ−Ｃ：周方向
【国際調査報告】
2021515149.tif 000025
2021515149.tif 000026
2021515149.tif 000027